(57)【要約】【課題】ペットボトルなどには「ボトルハンガー」などの消費者に向けて広告等をアピールできる直接装着するＰＯＰが多様に存在するが、飲用、食品用等の缶の形状上、簡素に取り付け作業ができるＰＯＰが存在しない。簡素な形状で効率的に装着が可能で、更にＰＯＰとして消費者に広くアピールできるものでなければならない。【解決手段】    肉、野菜、フルーツ、魚介類、またはお茶、お水、お酒やジュース、飲料水等の缶蓋面上に有するプルタブの指掛部に差込み固定し備える情報発信を目的とするＰＯＰ。該ＰＯＰ中心部に有する略差込み孔や切り込みに半長円形の形状を設け、差込み易く着脱し難い特徴を有する缶蓋面用ＰＯＰ。【選択図】図２
2020173411.tif 000002
【特許請求の範囲】
【請求項１】
お茶やお水、お酒やジュースなど主に飲料水等の缶蓋面上に収納可能なサイズであって、缶蓋が有するプルタブの指掛部に差込む孔を有する缶蓋用第一ＰＯＰと、その缶蓋用ＰＯＰの一端から上方に立ち上がる第二のＰＯＰにより構成される。前記第一ＰＯＰと前記第二のＰＯＰとの境界には折り曲げを示す折り線が設けられた缶蓋用ＰＯＰ。
【請求項２】
前記第一ＰＯＰに有するプルタブの指掛部に差込む孔はプルタブの横幅より多少大なる孔であって、又プルタブ有する鋲軸よりも大なるサイズであり、プルタブの縦幅より小なるサイズである缶蓋用ＰＯＰ。
【請求項３】
前記第一ＰＯＰの端から前記折り線を介し上方に立ち上がる第二のＰＯＰは他方向から立ち上がることが可能な缶蓋用ＰＯＰ。
【発明の詳細な説明】
【技術分野】
【０００１】      本発明は、缶蓋面用の複数の面を有することが特徴のＰＯＰに関するものである。
【背景技術】
【０００２】      お茶やお水、お酒やジュースなど主に飲料水等の容器としてアルミやスチールなどの缶は市場に多く普及している。
同様に普及しているペットボトルや瓶ボトルはネック部を有する形状上、ＰＯＰ類が装着し易く、それらＰＯＰはキャンペーン等の広告や直接商品訴求に繋がる文言などを印刷し、他商品との差別化という点においても重要なアイテムとなっている。現状缶には簡単に装着し且つ着脱し難いＰＯＰは普及しておらず、複雑な形状なのものや店頭で着脱してしまっているものであれば、ごく稀に見受けられた。
【先行技術文献】
【特許文献】
【０００３】
【特許文献１】特開２００５−８４２９７
【特許文献２】特開２００３−２１２２６４
【発明の概要】
【発明が解決しようとする課題】
【０００４】      現状、缶に装着可能なＰＯＰは缶体の上部を覆う広告表示紙や景品玩具等が入った箱が缶蓋面上部に装着されているものが主流であり、装着前に作業者への説明が必要である。また装着時の手間も想像でき、装着時間や人件費も膨らみ、実用的なＰＯＰとはいえず、普及にも至っていない。簡易的に装着でき、かつ缶蓋面上部の空間を利用して広告表示できるものが皆無であり、ペットボトルに比べ明らかにＰＯＰの普及がない。【０００５】    ［特許文献１］特開２００５−８４２９７、［特許文献２］特開２００３−２１２２６４の第一の発明においては簡易的な形状であるが、広告面が狭小であり且つ平面的な形状のため、商品位置が目線以下であり、さらに近距離の陳列であること等の条件が整わない限り視界に入り難い。コンビニエンスストアやスーパーなどの店頭で消費者の目線上位置の棚上のも多く、そういった条件下ではＰＯＰとしての効果が得られない。また３６０ｍｌ飲料缶においては蓋面上のプルタブや、蓋面中心部に有する緩やかな缶得有の膨らみに下から押上され、フラットな片であるＰＯＰ端部が自然と反り上がりＰＯＰ面が見え難く、ＰＯＰ効果も薄れるという問題がある。【０００６】    ［特許文献１］特開２００５−８４２９７の第二、第三の発明においてはＰＯＰ面が延節部先に有する板紙によりＰＯＰ面が広がり、該第一の発明と相違せず広い角度からのアイキャッチが可能となる反面、第二、第三の発明においてはＰＯＰ前に垂れ、第三の発明においては商品上に立体的に組み立てるためＰＯＰ装着時には商品を上に積むことが不可能であって商品配送前の段階ではＰＯＰを装着ができずＰＯＰ装着場所が店舗のみと限られる問題もある。第三の発明においては組立てが複雑という難も有する。【０００７】    ［特許文献１］特開２００５−８４２９７、［特許文献２］特開２００３−２１２２６４の全ての発明に共通して、商品の正面デザインとプルタブの向きの位置関係は飲料缶の印刷特性上、統一しておらずＰＯＰ正面と商品正面が統一され難い問題も有する。ＰＯＰ正面と商品正面が統一された位置にあるのを想定し多くのデザインは起こされているものであり、ＰＯＰ正面と商品正面が統一されていないという点はＰＯＰにおいて大きな問題である。【０００８】      本発明はこのような課題に着目し、プルタブを上面に有する缶蓋面上に簡易的に装着し着脱し難く、飲料や食品を問わないが主には飲料用缶を対象としており、プルタブを有する缶の上部にアイキャッチ効果を有するＰＯＰの提供である。
【課題を解決するための手段】１【０００９】      上記課題解決のための本発明は缶蓋が有するプルタブの指掛部に差込む孔を有する缶蓋用第一ＰＯＰと、その缶蓋用ＰＯＰの一端から折り線を介し上方に立ち上がる単数から複数枚の第二のＰＯＰにより構成され、前記第一ＰＯＰ有する前記差込む孔を中心としプルタブの鋲軸を軸に回転させることにより缶正面にＰＯＰ正面の向きを合わせることを可能とし且つ前記回転により前記第一のＰＯＰがプルタブと缶蓋面の間に収まり固定され自然には着脱し得ない、更に前記回転により缶正面にＰＯＰ正面の向きを合わせることを可能とした缶蓋用ＰＯＰである。
【発明の効果】
【００１０】      請求項１の本発明である第一のＰＯＰは、プルタプに装着するためのプルタプ装着孔のサイズや形状により装着しやすく着脱し難い特徴を有し、缶に装着する際やその後の手間や時間の軽減を図ることを可能とし人件費の削減にも繋がる。【００１１】      請求項１の本発明である上記第一のＰＯＰの一端から折り線を介し上方に立ち上がる単数から複数枚の第二のＰＯＰの立ち上がり効果によりその第二のＰＯＰ効果として缶上部からの視線に限らず、正面左右からの視線にも対応することが可能となり、キャンペーンの熟知や缶そのものの商品に対する直接的な訴求が上記第一のＰＯＰ効果よりも大きく広がり、又立ち上がることによりインパクトを与えＰＯＰ効果を最大限に図ることを可能とする。【００１２】      請求項１の前記第一ＰＯＰと前記第二のＰＯＰとの境界に有する折り線により該両ＰＯＰが折畳み商品を上に積み重ねる事を想定とした陳列、又は配送にも対応可能とし陳列であれば１段ずつの陳列棚だけではなく上に積み重ねる事により広い陳列スペースにも対応できキャンペーン等のイベントの展示にも使用可能である。配送としては店頭だけではなく缶を配送する前の段階で使用ができ店頭での手間が省ける他、配送兼陳列を兼ねた発送箱を使用する商品にも対応可能であり使用展開が大幅に広がる。【００１３】      請求項２の本発明である前記第一のＰＯＰのを回転させるという動作により前記請求項１の特徴に加え更に装着しやすく着脱し難い特徴を有し缶に装着する際やその後の手間や時間の軽減を図ることを可能とする。【００１４】      請求項２の本発明にあたる第一のＰＯＰに有するプルタブの指掛部に差込む孔は円に近い形状により、本発明であるＰＯＰが第二のＰＯＰを掴み該孔を中心に３６０℃回転させることが可能であり、結果どの向きを向いたプルタブにも対応しＰＯＰ正面と商品正面の向きを統一させＰＯＰを装着した商品とのデザイン効果を最大限に活かし、キャンペーンの熟知や缶そのものの商品に対する直接的な訴求が上記第一のＰＯＰ効果よりも大きく広がりＰＯＰ効果を最大限に図ることを可能とする。【００１５】      請求項３の本発明にあたる前記第一ＰＯＰの端から前記折り線を介し上方に立ち上がる第二のＰＯＰは単数と限定するものではなく、デザインや用途により複数枚を可能とし、他方向からの視認も可能であり、より一層の販促効果を図ることを可能とする。
【図面の簡単な説明】
【図１】本発明の缶蓋面用立ち上がりＰＯＰの平面図である。
【図２】本発明の缶蓋面用立ち上がりＰＯＰの装着した状態を示す斜視図である。
【図３】缶蓋面用立ち上がりＰＯＰの平面図及び該ＰＯＰにおけるサイズ位置指定図である。
【図４】本発明の缶蓋面用立ち上がりＰＯＰの外形状やプルタブ装着孔形状のバリエーションを示した平面図である
【図５】本発明の缶蓋面用立ち上がりＰＯＰの外形状のバリエーションを示した平面図である
【図６】図５の平面図の缶蓋に装着した状態を示す斜視図である。
【図７】上記発明の缶蓋面用立ち上がりＰＯＰを缶蓋に装着する缶の蓋面図である。
【発明を実施するための形態】
【００１６】      以下、本発明の実施形態について、図面を参照しながら、詳細に説明する。
【００１７】      本発明の缶蓋面用立ち上がりＰＯＰは図１から６に示すように第一のＰＯＰ（３）と該ＰＯＰ上部に設けた折り線（罫線）（２）で仕切られた第二のＰＯＰ（１）である立ち上がりＰＯＰで構成されている。
【００１８】      図２や図６の斜視図にあるようにプルタブの付いた主に飲料用缶のプルタブ（１０）に図１プルタブ装着孔（４）を指掛け部（８）の下に差し込み第二のＰＯＰ（１）を掴みプルタブの鋲軸（１３）を軸としてプルタブ装着孔（４）の中心で回転させることにより自然には着脱できない程の固定を可能とする。
【００１９】      上記装着後、再度プルタブの鋲軸（１３）を軸としてプルタブ装着孔（４）の中心で回転させることにより、缶デザイン正面に第二のＰＯＰ（１）正面を合わす事を可能とする。
【００２０】      図の折り線（罫線）（２）は押し罫で第一のＰＯＰ（３）に対して垂直に折り曲がれば良い。
【００２１】      第二のＰＯＰ（１）を有することにより第一のＰＯＰ（３）と第二のＰＯＰ（１）を利用して掴むことでプルタブ（１０）に差し込むことやプルタブの鋲軸（１３）を軸としてプルタブ装着孔（４）の中心で回転させることを可能とし、前記差込み易さや回転し易さの利便を可能とした。
【００２２】      第一のＰＯＰ（３）のサイズは缶蓋面上に収納可能な、外周壁（１２）より小なるものであればよい。外周壁（１２）に近似の大なるサイズであればＰＯＰ面が大きく使用可能であるが、小なるほど装着し易い利点を有する。形状は対象となる缶の大きさや用途に応じて適宜に決めれば良い。
【００２３】      本発明おいては第一のＰＯＰ（３）の中心に有するプルタブ装着孔（４・ａ、ｂ）のサイズはプルタブ（１０）の横幅（Ｃ）より大なる孔であり、プルタブ有する鋲軸（１３）の径より大なるサイズであれば容易に指掛け部（８）の下にプルタブ装着孔（４）を掛け装着することが可能であり、プルタブの縦幅（ｄ）より小なるサイズの孔であれば装着後容易に外れることを不可能とする。前期内のサイズであれば厳密にサイズは限定するものでは無い。プルタブ装着孔（４）のサイズが大なるほどプルタブ（１０）に装着し易  くなるが、サイズが小なる程確実な固定を可能とする。形状としては図３にある楕円型（７）のような楕円に近似の形状であれば、図３にある正円型（６）よりもプルタブ差込時に孔の幅が広いため装着し易く、プルタブの形状にも酷似するためしっかり固定され自然な着脱は皆無である上で意図的な着脱が易い特徴がある。各々その用途に合った形状を可能とする。プルタプ装着孔（４）の形状は図４や図５にあるようにデザインまたは用途により多岐にわたる。
【００２４】      第二のＰＯＰ（１）のサイズや形状は、対象となる缶の大きさや用途に応じて適宜に決めればよい。
【００２５】      図５、図６にあるように、第一のＰＯＰ（３）一つに対し第二のＰＯＰ（２）の数は限られたものでなく、対象となる缶の大きさや用途に応じて適宜に決めればよい。
【００２６】      素材としては特に限定されたものではないが、単色からフルカラー印刷が可能なものであれば良い。コストによるが、上質紙または樹脂系の材料を素材としたものも適しており、樹脂系やユポなどのポリプロピレンを主原料とするフィルム法合成紙も耐水性を持たせることが可能である。
【００２７】      印刷としてはオフセット印刷、グラビア印刷などいかなる印刷方法によっても可能。
マット紙を用いてインクジェット印刷や、多種類印刷も可能としたオンデマンド印刷の使用も適している。
【産業上の利用可能性】
【００２８】      本発明の缶蓋面用立ち上がりＰＯＰの主なる用途としては、肉、野菜、フルーツ、魚介類、またはお茶、お水、お酒やジュース、飲料水等の缶で、広告やキャンペーンの告知などを表示し、広く消費者に視認させるを可能とする。視覚伝達を必要とする用途であれば特に内容は限定されるものではない。
【符号の説明】１：第二のＰＯＰ
２：折り線
３：第一のＰＯＰ
４：プルタブ装着孔
５：プルタブの位置
６：正円型
７：楕円型
８：指掛け部
９：プルタブ孔
１０：プルタブ
１１：蓋面
１２：外周壁
１３：鋲軸
ａ〜ｏ：位置表記
【図１】
2020173411.tif 000003
【図２】
2020173411.tif 000004
【図３】
2020173411.tif 000005
【図４】
2020173411.tif 000006
【図５】
2020173411.tif 000007
【図６】
2020173411.tif 000008
【図７】
2020173411.tif 000009